(57)【要約】【課題】  簡易形状の固型培土において、常に適正位置に種子を置床でき、しかも、単体で運搬・貯蔵可能とする。【解決手段】  固型可能な培土基材４０で形成され、セルトレイ２のセル２０内に収容可能な外面を有し、上部に第１凹部４１が上部開放状に形成され、該第１凹部４１の底部に種子Ｓを収容すべき第２凹部４２が形成されている。【選択図】図１
2006158241.tif 000002
【特許請求の範囲】
【請求項１】
固型可能な培土基材（４０）で形成され、セルトレイ（２）のセル（２０）内に収容可能な外面を有し、上部に第１凹部（４１）が上部開放状に形成され、該第１凹部（４１）の底部に種子（Ｓ）を収容すべき第２凹部（４２）が形成されていることを特徴とする固型培土。
【請求項２】
固型可能な培土基材（４０）で形成され、セルトレイ（２）のセル（２０）内に収容可能な外面を有し、上部に第１凹部（４１）が上部開放状に形成され、該第１凹部（４１）の底部に種子（Ｓ）を収容すべき第２凹部（４２）が形成され、
前記第２凹部（４２）に種子（Ｓ）が収容され、前記第１凹部（４１）に覆土材（５）が充填されていることを特徴とする固型培土。
【請求項３】
固型可能な培土基材（４０）をセルトレイ（２）のセル（２０）内に収容可能な外面を備えるべく成型し、上部に第１凹部（４１）を上部開放状に形成し、該第１凹部（４１）の底部に種子（Ｓ）を収容すべき第２凹部（４２）を形成し、
前記第２凹部（４２）に種子（Ｓ）を収容し、前記第１凹部（４１）に覆土材（５）を充填することを特徴とする固型培土形成方法。
【発明の詳細な説明】
【技術分野】
【０００１】
本発明は、機械移植に供されるたばこ等の作物において、育苗時の根鉢形成に用いられる固型培土及び固型培土形成方法に関するものである。
【背景技術】
【０００２】
従来、たばこ等の作物を栽培する場合、セルトレイの各セル内にて種子を栽培し、所定の生長状態となった苗を根鉢と共に移植機等によって圃場に機械移植する移植方法が知られている。
セルトレイの各セル内においては、発芽した種子から伸びる複数本の根が床土及び覆土に向けて伸長し、該床土及び覆土にこれら複数本の根が絡みつくことによって根鉢が形成される。このとき、苗の育成期間が短い等の理由によって根の生長が十分でない場合、床土及び覆土に根が充分に絡みついた根鉢が形成され難い。このため、このような根鉢を有する苗を移植機の苗取出機構等によってセルから抜き取る場合、床土や覆土が崩落して根鉢全体が崩れてしまい、これによって苗の抜き取りミスや植付ミスが発生する問題があった。
【０００３】
かかる問題を解決する手段として、特許文献１においては、セルトレイの各セル内に固型培地を収容し、該固型培地の上面に種子を置床し、該固型培地の上面及び種子を覆土によって覆う構成を有する移植用育苗床が提案されている。
【特許文献１】特許第３５３６１６１号
【発明の開示】
【発明が解決しようとする課題】
【０００４】
しかしながら、特許文献１の移植用育苗床において、固型培地は、上面と下面とが互いに略平行な逆錐台状に形成されるのみであるため、セルトレイの各セルに播種された種子が固型培土上の所定位置からずれた位置に播種された場合、該種子を所定位置に置床し直す作業が必要となって、播種作業が煩雑化する。また、播種された種子は固型培地の上面上を移動自由な状態で該上面上に置床されるため、運搬時等の振動によって種子が該上面上を左右に移動することとなる。このため、各セルの種子の播種位置にばらつきが生じ、これによって根鉢の形成状態がセル毎に異なってしまう問題があった。
【０００５】
さらに、セルの内壁によって、播種された種子の移動が規制されると共に充填された覆土が側方支持されるため、固型培土をセルトレイのセルに収容することなく該固型培土上に種子の播種作業や覆土の充填作業を行うことはできず、これによって育苗床をセルトレイのセルに収容することなく運搬・貯蔵することができない問題があった。
そこで、本発明の目的は、上記問題に鑑み、常に適正位置に種子を置床でき、しかも、単体で運搬・貯蔵可能な簡易形状の固型培土を提供することにある。
また、本発明の目的は、上記問題に鑑み、常に適正位置に種子を置床でき、しかも、単体で運搬・貯蔵可能な簡易形状の固型培土形成方法を提供することにある。
【課題を解決するための手段】
【０００６】
本発明による上記課題解決のための具体的手段は、次の通りである。
第１に、本発明に係る固型培土においては、固型可能な培土基材で形成され、セルトレイのセル内に収容可能な外面を有し、上部に第１凹部が上部開放状に形成され、該第１凹部の底部に種子を収容すべき第２凹部が形成されている。
これによれば、種子は常に第２凹部に入り込むため、固型培土上に播種される種子の播種位置にばらつきが生じることはなく、各固型培土上に播種された種子は第２凹部に置床されることとなるのである。
【０００７】
また、前記固型培土によれば、種子を播種した状態で運搬・貯蔵することができ、しかも、第２凹部によって種子の左右方向の移動が規制されるのため、運搬時に種子が左右方向に移動することはない。
また、第１凹部に所定の養分を備えた覆土材を充填することができ、これによって、種子の生長を向上させることができるのである。しかも、該覆土材の充填量を第１凹部の容積と同量として略一定化することができ、各固型培土上での種子の発育を一定のものとすることができる。
【０００８】
さらに、前記固型培土によれば、種子を第２凹部に置床し且つ覆土材を第１凹部に充填した状態で前記固型培土を単体で運搬・貯蔵することができ、前記固型培土の運搬・貯蔵条件が緩和されるのである。
第２に、本発明に係る固型培土においては、固型可能な培土基材で形成され、セルトレイのセル内に収容可能な外面を有し、上部に第１凹部が上部開放状に形成され、該第１凹部の底部に種子を収容すべき第２凹部が形成され、前記第２凹部に種子が収容され、前記第１凹部に覆土材が充填されている。
【０００９】
これによれば、前記固型培土を種子の播種及び覆土材の充填が完了した状態で運搬・貯蔵することが可能である。このとき、覆土材は第１凹部内に充填され、該第１凹部の壁部によって保持されているため、該覆土材が前記固型培土の運搬時に前記固型培土上から落下することはない。同様に、種子は第２凹部に置床された状態で覆土材に覆われているため、該種子が前記固型培土の運搬時に左右に大きく移動することはないのである。
第３に、本発明に係る固型培土形成方法においては、固型可能な培土基材をセルトレイのセル内に収容可能な外面を備えるべく成型し、上部に第１凹部を上部開放状に形成し、該第１凹部の底部に種子を収容すべき第２凹部を形成し、前記第２凹部に種子を収容し、前記第１凹部に覆土材を充填する。
【００１０】
これによれば、種子を所定位置に置床すると共に覆土材の充填量を略一定量とした固型培土を多数作製することができる。しかも、かかる固型培土をセルトレイのセル等の所定の容器に収容することなく形成することができ、これによって、かかる固型培土を所定の容器に収容するよりも以前に作製することができ、固型培土上に種子及び覆土材を備えた育苗床の形成工程から固型培土を前記所定の容器に収容する収容工程を除くことができるのである。
【発明の効果】
【００１１】
本発明の固型培土によれば、常に適正位置に種子を置床でき、しかも、単体で運搬・貯蔵することが可能である。
また、本発明の固型培土形成方法によれば、常に適正位置に種子を置床でき、しかも、単体で運搬・貯蔵可能とする簡易形状の固型培土を形成することができる。また、固型培土は簡易な形状を呈しているため、容易に大量生産化が図られるのである。
【発明を実施するための最良の形態】
【００１２】
以下、本発明をたばこの根鉢付き苗Ｐの形成に実施した形態につき、図面を参照して説明する。
本実施の形態において、たばこの根鉢付き苗Ｐを形成するための育苗具１は、図２に示す如く、複数のセル２０を備えたセルトレイ２と、該セルトレイ２を収容する育苗箱３とを備えている。
セルトレイ２は、薄い合成樹脂シートをプレス加工して、縦横に碁盤目状に多数（例えば６個×１２個）のセル２０を備えており、隣接するセル２０の上端開口縁どうしはトレイ上壁２１によって互いに連結されている。
【００１３】
各セル２０のセル周壁２２は、略逆四角錐台形状に形成されており、前記上端開口縁からセル底壁２３に向かうにつれてセル２０の上下方向中心軸に向けて若干傾斜するテーパ壁となっている。また、前記上下方向中心軸に垂直な水平断面の形状が略四角形のセル周壁２２のコーナ部は凸湾曲状に面取りされている。
また、図４（ｂ）に示す如く、前記セル底壁２３は平坦であり、該セル底壁２３の中央部には、水抜き用のセル孔２４が開設されている。
図２に示す如く、育苗箱３は、合成樹脂又は金属板にプレス成型を施すことによって形成され、一体成形された周囲壁３１と底壁３２とを有しており、平面視長方形で上部開放の浅底箱形状に形成されている。
【００１４】
周囲壁３１は、前記底壁３２との連結部から上方に向けて僅かに外方向に傾斜しつつ延伸されており、該周囲壁３１の上端には、育苗箱３の外方側に水平に伸びて該上端を包囲する平板部３３が形成されている。また、底壁３２は、多数の開口３４を縦横に開設した平面視格子状に形成されている。該開口３４は、角孔に形成され、該開口３４間は周囲壁３３間を縦横に伸びる桟部３５となっている。
前記セルトレイ２のセル２０内に収容される固型培土４は、固型可能な培土基材４０で形成され、前記セル２０内に収容可能な外面を有し、上部に第１凹部４１が上部開放状に形成され、該第１凹部４１の底部に種子Ｓを収容すべき第２凹部４２が形成されている。
【００１５】
本実施の形態において、培土基材４０は、育苗に必要な成分を含んだピートモスに所定の添加剤を加えたものによって構成されるが、培土基材４０の構成はこれに留まらず、ゼオライト、バーミキュライト、バーク堆肥、ロックウール等の常用素材単体若しくはこれらを適宜配合したものから構成することも可能であり、土に入れると自然分解される生分解性素材であるセルロース、デンプン、キチン、キトサン等の多糖類や、ゼラチン、コラーゲン、ゼイン、羊毛、絹等の蛋白質、半合成樹脂である酢酸セルロース、レーヨン等のセルロース誘導体やデンプン誘導体、合成生分解性高分子であるポリエチレンサクシネート、ポリエチレンサクシネートアジテート、ポリブチレンサクシネート、ポリブチレンサクシネートアジテート、ポリ乳酸やポリリンゴ酸をはじめとするポリヒドロキシ酸及びそれらの共重合体ならびにそれらの組合せたものから構成することも可能である。
【００１６】
また、上記培土基材４０を育苗可能な多孔性樹脂から構成することも可能である。ここで、育苗可能な多孔性樹脂とは、連通性発泡樹脂を示し、フェノール樹脂、ユリア樹脂、ポリビニールアルコール樹脂（ＰＶＡ）、弗化ビニル樹脂（ＰＶＦ）、ウレタン発泡体等が挙げられる。
また、針葉樹、広葉樹をクラフトパルプ化、サルファイトパルプ化、アルカリパルプ化等して得られる未晒又は晒化学パルプ、或いはＧＰ、ＲＭＰ、ＴＭＰ、ＣＴＭＰ等の機械パルプ、液体アンモニア処理パルプ、マーセル化パルプ等のセルロース繊維を主成分とし、これに撥水剤、耐水剤、ＰＨ調整剤、増粘剤、防腐剤、防黴剤、抗菌剤、保湿剤、肥料等を添加したものから培土基材４０を構成することも可能である。
【００１７】
また、スギやヒノキ等の木質系樹皮または木屑や、椰子殻等の果実繊維や該果実繊維と澱粉とを適宜配合したものから培土基材４０を構成することも可能である。
本実施形態の固型培土４は、図１に示す如く、前記セルトレイ２の各セル２０に嵌合すべく逆四角錐台状の外形を有しており、その外周壁４３は、前記セル周壁２２に当接すべく上方から下方に向かうにつれて固型培土４の中央部側に若干傾斜するテーパ壁となっている。
また、該外周壁４３のコーナ部は凸湾曲状に面取りされており、固型培土４の底面４４は、前記セル底壁２３に当接すべく平坦状に形成されている。
【００１８】
前記第１凹部４１は、上端縁４１ａから第１凹部４１の底部に向けて下り状に傾斜するすり鉢状の傾斜部４１ｂを有しており、該第１凹部４１の最底部に第２凹部４２が形成されている。
また、第２凹部４２は、平面視で固型培土４の上部の略中央部に窪み状に形成されており、該第２凹部４２の開口縁４２ａに第１凹部４１の下端縁４１ｃが一致している。
なお、第１凹部４１の上端縁４１ａから第２凹部４２の最底部までの長さは、該第２凹部４２に播種される種子Ｓの埋設深さを考慮して５ｍｍ〜１５ｍｍ程度が好ましく、第２凹部４２の開口幅は、前記種子Ｓの置床状態を考慮して２ｍｍ〜１５ｍｍ程度とすることが好ましい。
【００１９】
本実施の形態は以上の構成からなるものであり、次に、上記固型培土４の形成方法を図３を用いて説明する。
先ず、（ａ）に示す如く、固型培土４を収容すべきセルトレイ２のセル２０の形状と略同一の逆四角錐台状に形成された雌型５１に培土基材４０を所定の分量だけ投入する。
なお、雌型５１として、前記セルトレイ２０を採用することも可能である。
そして、（ｂ）に示す如く、各雌型５１内の培土基材４０に向けて雄型５２を押し付ける。該雄型５２は、固型培土４の第１凹部４１の傾斜部４１ｂを形成すべく略逆四角錐状に形成された傾斜形成部５３を備えると共に、固型培土４の第２凹部４２を形成すべき凸部５４を傾斜形成部５３の下端部に備え、該雄型５２を雌型５１内の培土基材４０に押し付けた状態で所定時間保持することにより、該培土基材４０は、雌型５１及び雄型５２による加圧力や培土基材構成成分の経時的な化学変化等によって、雌型５１及び雄型５２によって形成される型枠の形状に凝縮・固化・成型されることとなる。
【００２０】
そして、（ｃ）に示す如く、凝縮・固化・成型された培土基材４０を雌型５１及び雄型５２から脱型することにより、所定形状に形成された固型培土４が形成されるのである。
次に、該固型培土４を使用した育苗方法について図４を用いて説明する。
先ず、上記方法によって形成された（ａ）の固型培土４を（ｂ）の如く育苗箱３に収容されたセルトレイ２のセル２０内に収容する。次に、セルトレイ２を収容した育苗箱３を播種機（図示省略）の搬送機構によって搬送し、（ｃ）に示す如く、該播種機の点播機構等を用いて、たばこの種子Ｓをセルトレイ２の上方から各セル２０内の固型培土４に向けて播種する。このとき、種子Ｓは前記点播機構によって固型培土４の第２凹部４２を狙って播種されることとなるが、該第２凹部４２を外れた場合にも、種子Ｓは少なくとも第１凹部４１に投下される。ここで、第１凹部４１は第２凹部４２に連接された傾斜部４１ｂを有しているため、第１凹部４１に投下された種子Ｓは、該傾斜部４１ｂ上を転がり落ちて第２凹部４２に収容されることとなる。
【００２１】
このとき、第１凹部４１の傾斜部４１ｂから僅かに突出した繊維等の凸部に種子Ｓが支持され、これによって種子Ｓが第１凹部４１内に係止されてしまう場合があるが、この場合にも、播種機の搬送機構の振動等によって種子Ｓが上下左右に移動することにより、前記凸部と該種子Ｓとの釣合状態が崩れて前記凸部による種子Ｓの支持状態が解消され、これによって、種子Ｓは、固型培土４に次工程が施される前に傾斜部４１ｂを転がり落ちて第２凹部４２内に収容されることとなるのである。
また、種子Ｓは、一旦第２凹部４２に収容されると、左右方向の移動が第２凹部４２の壁部に規制されることとなる。したがって、第２凹部４２に収容された種子が前記振動等によって第２凹部４２の外方に移動することはない。
【００２２】
そして、（ｄ）に示す如く、覆土機構によって固型培土４の第１凹部４１に覆土材５が充填される。ここで、該覆土材５は、赤玉土、腐葉土、黒土、バーミキュライト、パーライト等の常用素材単体やこれらを所定分量ずつ配合して構成されたものであり、且つ、所定の水透過性を有すると共に固型培土４との食いつきを良好とするものであって、前記第１凹部４１の容積と略同量分だけ供給される。その後、覆土機構の土均し機構等によって覆土材５の上面をセルトレイ２のセル上壁２１の上面と略面一とすべく覆土材５が均される。
【００２３】
上記作業によって、セルトレイ２のセル２０内に育苗床が形成されることとなり、該育苗床に灌水を施した後に、該育苗床を育苗施設（図示省略）に収容して所要期間育苗に供させる。これによって、（ｅ）に示す如く、各セル２０内にたばこの根鉢付き苗Ｐが形成されることとなるのである。
前記育苗施設にて育苗された根鉢付き苗Ｐは、圃場の畝に移植される。かかる移植に際しては、移植機（図示省略）の苗取出機構によってセル２０と根鉢付き苗Ｐとがそれぞれ分離され、該根鉢付き苗Ｐが植付機構によって畝に植え付けられる。
【００２４】
このとき、生長した複数本の根Ｒの先端部や細根は、固型培土４及び覆土材５に覆われているため、これら複数本の根Ｒや細根が前記苗取出機構や植付機構等によって損傷を受けることはなく、移植機による根鉢付き苗Ｐの移植作業が移植後の該根鉢付き苗Ｐの複数本の根Ｒの生長に悪影響を及ぼすことはない。
また、根鉢付き苗Ｐの根鉢は、上述の如き固型培土４及び覆土材５によって形成されているため、前記苗取出機構や植付機構によって根鉢が崩壊することはなく、これによって、移植機による根鉢付き苗Ｐの抜き取りミスや植付ミスが生じる虞はない。
【００２５】
本実施の形態によれば、固型培土４の上部に向けて播種された種子Ｓは第２凹部４２に置床されることとなるため、固型培土４上に播種される種子Ｓの播種位置にばらつきが生じることはない。
また、固型培土４の第１凹部４１に所定の養分を備えた覆土材５を充填することにより、種子Ｓの生長を向上させることができる。しかも、該覆土材５の充填量を第１凹部４１の容積と同量として略一定化することができ、所定育苗期間による各セル２０内の苗の育成状態を一定のものとすることができる。
【００２６】
また、本実施の形態の固型培土４によれば、図４（ａ）の状態で第２凹部４２に種子Ｓが播種されることにより、種子Ｓを播種した状態で運搬・貯蔵することができる。しかも、第２凹部４２によって種子Ｓの左右方向の移動が規制されるのため、固型培土４の運搬時に該種子Ｓが左右方向に移動することはない。
また、種子Ｓが固型培土４の第２凹部４２に置床されることにより、該種子Ｓは平面視で固型培土４の略中央部に位置するため、発芽、育成中の種子Ｓの位置や発根位置が明確なものとなり、これによって、種子Ｓや根Ｒの位置を仮定して構成される前記苗分送機構や植付機構等の構造を検討しやすい。
【００２７】
また、各セル２０に対する移植機による苗取り位置が略一定化されることとなり、前記苗分送機構や植付機構等の構造をより単純化することができ、移植機の低コスト化が図られる。
また、本実施の形態の固型培土４は、図５に示す如く、固型培土４の第２凹部４２に種子Ｓを収容すると共に第１凹部４１に覆土材５を収容した育苗床形成状態で運搬・貯蔵が可能であり、セルトレイ２のセル２０に収容する以前にかかる状態に形成することが可能である。
【００２８】
固型培土４を上記育苗床形成状態とするための固型培土形成方法は、図６（ａ）及び（ｂ）に示す如く、所定の支持ケース（図示省略）内に固型培土４を収容し、該ケースを播種機の搬送機構によって搬送し、該播種機の点播機構によって第２凹部４２に種子Ｓを播種する。その後、播種機の覆土機構によって第１凹部４１に覆土材５を充填することによって、図６（ｃ）に示す如く、固型培土４は育苗床形成状態に形成されることとなるのである。
該固型培土４によれば、セルトレイ２のセル２０内に収容することなく種子Ｓを第２凹部４２に置床し且つ覆土材５を第１凹部４１に充填した育苗床形成状態を形成することができる。このため、該育苗床形成状態とした固型培土４を単体で運搬・貯蔵することができ、前記固型培土４の運搬・貯蔵条件が緩和されるのである。もちろん、セルトレイ２のセル２０内に収容した状態で固型培土４を運搬・貯蔵することも可能である。
【００２９】
また、育苗床形成状態とした固型培土４を図６（ｄ）に示す如くセルトレイ２のセル２０内に収容することにより、図６（ｅ）に示す如く、セル２０内に根鉢付き苗Ｐを形成することが可能である。そして、前記固型培土４を複数作製してこれら固型培土４をセルトレイの各セル２０内に収容することにより、各セル２０内の根鉢付き苗Ｐの形成状態を略一定のものとすることができるのである。
また、該固型培土４をセルトレイ２のセル２０内に収容することなく根鉢付き苗Ｐを形成することができるのはもちろんである。
【００３０】
以上、本発明の実施形態を詳述したが、本発明は上記の実施の形態に限定されるものではない。例えば、図７に示す如く、固型培土４の第１凹部４１の上端縁４１ａと外周面４３の上端縁との間に平坦部４５を設けた構成を採用することも可能である。
また、図８に示す如く、固型培土４の第１凹部４１を中央部に向けて下弦状に湾曲した形状とし、該第１凹部４１の最底部に第２凹部４２をすり鉢状に設けた構成を採用することも可能である。また、第１凹部４１を固型培土４の水平断面形状に相似な錐体状に形成した場合や円錐状に形成した場合にも、本実施の形態と同様の効果を有する。
【００３１】
また、固型培土４の第１凹部４１及び第２凹部４２をすり鉢状の傾斜部を備えた形状に形成することも可能であり、さらには、第１凹部４１の傾斜部の水平面に対する傾斜角と第２凹部４２の傾斜部の水平面に対する傾斜部を同一とし、第１凹部４１及び第２凹部４２を略面一とする構成を採用することも可能である。
また、固型培土４の第１凹部４１及び第２凹部４２を垂直部、水平部、傾斜部及び湾曲部の組合せによって階段状等に形成することも可能であり、第１凹部４１に播種された種子Ｓが固型培土４上から落下せず、第２凹部４２に収容される構成を有するものであれば、これら第１凹部４１及び第２凹部４２は如何なる形状に形成されていても構わない。
【００３２】
また、固型培土４は、セルトレイ２のセル２０に嵌合する形状を有していることが好ましいが、かかる形状以外の形状、例えば、角柱状、円柱状、半球状等の形状とすることも可能であり、セルトレイ２のセル２０内に収容される大きさを有するものであれば、如何なる形状に形成されていても構わない。かかる形状を有する固型培土４をセル２０内に収容した場合に生じるセル周壁２２及びセル底壁２３と固型培土４の外周面４３及び底面４４の間の空隙は、覆土材５等によって埋められる。
また、上述の培土基材構成材は、必要に応じてこれらを固形化したり、不織布化したり、織化したり、或いは、薄膜化したものを重ねてマット状としたものを採用しても構わない。
【００３３】
また、上述の実施形態は、たばこ以外の作物、例えば、キャベツ、白菜、レタス、玉葱等の作物に採用することが可能である。
また、セルトレイ２は、金属製、布製、紙製とすることができ、セルの配列も、例えば、８個×１６個、１０個×２０個、１２個×２４個等を採用することができる。各セル２０の形状においても、例えば、角錐状、円錐状、角柱状、円柱状、半球形状等の形状を採用しても構わない。
【図面の簡単な説明】
【００３４】
【図１】本発明の固型培土を示す斜視図である。
【図２】固型培土及び育苗箱を破断して示す斜視図である。
【図３】固型培土の形成過程を示す断面図である。
【図４】固型培土を用いた育苗過程を示す断面図である。
【図５】本発明の固型培土に種子及び覆土材を配備した断面図である。
【図６】固型培土を用いた育苗過程を示す断面図である。
【図７】本発明の他の実施の形態を示す断面図である。
【図８】本発明のさらに他の実施の形態を示す断面図である。
【符号の説明】
【００３５】
１      育苗具
２      セルトレイ
３      育苗箱
４      固型培土
４０    培土基材
４１    第１凹部
４１ａ  上端縁
４１ｂ  傾斜部
４１ｃ  下端縁
４２    第２凹部
４２ａ  上端縁
５      覆土材
５１    雌型
５２    雄型
Ｐ      根鉢付き苗
Ｓ      種子
【図１】
2006158241.tif 000003
【図２】
2006158241.tif 000004
【図３】
2006158241.tif 000005
【図４】
2006158241.tif 000006
【図５】
2006158241.tif 000007
【図６】
2006158241.tif 000008
【図７】
2006158241.tif 000009
【図８】
2006158241.tif 000010